【手続補正書】
【提出日】平成31年2月27日(2019.2.27)
【手続補正１】
【補正対象書類名】特許請求の範囲
【補正対象項目名】全文
【補正方法】変更
【補正の内容】
【特許請求の範囲】
【請求項１】
植物成長に利益を与え、または感受性植物において病原体感染に対する保護を与えることの１つまたは両方を植物に適用するための、ＡＴＣＣ番号ＰＴＡ−１２１１６６として寄託されたバチルス・アミロリケファシエンスＲＴＩ４７２、またはその全ての同定特徴を有するその突然変異体の生物学的に純粋な培養物を含む組成物。
【請求項２】
前記組成物は液体の形態であり、バチルス・アミロリケファシエンスＲＴＩ４７２は、１．０×１０８ＣＦＵ／ｍｌ〜１．０×１０１２ＣＦＵ／ｍｌの濃度で存在する、請求項１の組成物。
【請求項３】
前記組成物は、粉剤、乾燥水和性粉末剤、展延性顆粒剤、または乾燥水和性顆粒剤の形態であり、バチルス・アミロリケファシエンスＲＴＩ４７２は、１．０×１０８ＣＦＵ／ｇ〜１．０×１０１２ＣＦＵ／ｇの量で存在する、請求項１の組成物。
【請求項４】
前記組成物は、油分散体の形態であり、バチルス・アミロリケファシエンスＲＴＩ４７２は、１．０×１０８ＣＦＵ／ｍｌ〜１．０×１０１２ＣＦＵ／ｍｌの濃度で存在する、請求項１の組成物。
【請求項５】
植物成長に利益を与え、および／または感受性植物において病原体感染に対する保護を与えるのに適した量で存在する、ＡＴＣＣ番号ＰＴＡ−１２１１６６として寄託されたバチルス・アミロリケファシエンスＲＴＩ４７２、またはその全ての同定特徴を有するその突然変異体の生物学的に純粋な培養物の胞子、を含む組成物で被覆された植物種子。
【請求項６】
植物成長に利益を与え、および／または感受性植物において病原体感染に対する保護を与えるのに適した量で、ＡＴＣＣ番号ＰＴＡ−１２１１６６として寄託されたバチルス・アミロリケファシエンスＲＴＩ４７２、またはその全ての同定特徴を有するその突然変異体の生物学的に純粋な培養物、ならびに、
前記植物成長に利益を与え、および／または感受性植物において病原体感染に対する保護を与えるのに適した量で、微生物学的、生物学的もしくは化学的な、殺虫剤、殺真菌剤、殺線虫剤、殺細菌剤、除草剤、植物抽出物、植物成長調整剤または肥料の１つまたは組み合わせ、
を含む、
植物成長に利益を与えること、または感受性植物において病原体感染に対する保護を与えることの１つまたは両方のための組成物。
【請求項７】
ＡＴＣＣ番号ＰＴＡ−１２１１６６として寄託されたバチルス・アミロリケファシエンスＲＴＩ４７２、またはその全ての同定特徴を有するその突然変異体の生物学的に純粋な培養物を含む組成物を、植物成長に利益を与え、および／または感受性植物において病原体感染に対する保護を与えるのに適した量で、植物の葉、植物の樹皮、植物の果実、植物の花、植物の種子、植物の根、植物の切断片、植物の移植片、植物のカルス組織、植物の周囲の土壌もしくは成長培地、植物の種子を播種する前の土壌もしくは成長培地、または植物、植物切断片、植物移植片、もしくは植物カルス組織を植える前の土壌もしくは成長培地に送達することを含む、植物成長に利益を与えることまたは感受性植物において病原体感染に対する保護を与えることの１つまたは両方のための方法。
【請求項８】
植物の種子を植えること、または前記植物の植物性切断片／組織を適切な成長培地に再生することを含み、ＡＴＣＣ番号ＰＴＡ−１２１１６６として寄託されたバチルス・アミロリケファシエンスＲＴＩ４７２、またはその全ての同定特徴を有するその突然変異体の生物学的に純粋な培養物を含む組成物で、前記種子が被覆されているまたは前記植物性切断片／組織が接種され、前記種子または前記植物性切断片／組織から植物の成長に利益が与えられ、および／または病原体感染に対する保護が与えられる、植物成長に利益を与えることまたは感受性植物において病原体感染に対する保護を与えることの１つまたは両方のための方法。
【請求項９】
植物成長に利益を与え、および／または感受性植物において病原体感染に対する保護を与えるのに適した量でＡＴＣＣ番号ＰＴＡ−１２１１６６として寄託されたバチルス・アミロリケファシエンスＲＴＩ４７２、またはその全ての同定特徴を有するその突然変異体の生物学的に純粋な培養物を含む第１組成物、ならびに、
前記植物成長に利益を与え、および／または感受性植物において病原体感染に対する保護を与えるのに適した量で微生物学的、生物学的もしくは化学的な、殺虫剤、殺真菌剤、殺線虫剤、殺細菌剤、除草剤、植物抽出物、植物成長調整剤または肥料の１つまたは組み合わせを含む第２組成物、
の組み合わせを、
植物の葉、植物の樹皮、植物の果実、植物の花、植物の種子、植物の根、植物の切断片、植物の移植片、植物のカルス組織、植物の周囲の土壌もしくは成長培地、植物の種子を播種する前の土壌もしくは成長培地、または植物、植物切断片、植物移植片、もしくは植物カルス組織を植える前の土壌もしくは生育培地に送達することを含む、植物成長に利益を与えることまたは感受性植物において病原体感染に対する保護を与えることの１つまたは両方のための方法。
【請求項１０】
植物成長に利益を与え、および／または感受性植物において病原体感染に対する保護を与えるのに適した量で、ＡＴＣＣ番号ＰＴＡ−１２１１６６として寄託されたバチルス・アミロリケファシエンスＲＴＩ４７２、またはその全ての同定特徴を有するその突然変異体の生物学的に純粋な培養物、ならびに、
前記植物成長に利益を与え、および／または感受性植物において病原体感染に対する保護を与えるのに適した量で、微生物学的、生物学的もしくは化学的な、殺虫剤、殺真菌剤、殺線虫剤、殺細菌剤、除草剤、植物抽出物、植物成長調整剤または肥料の１つまたは組み合わせ、
を含む組成物を、
植物の葉、植物の樹皮、植物の果実、植物の花、植物の種子、植物の根、植物の切断片、植物の移植片、植物のカルス組織、植物の周囲の土壌もしくは成長培地、植物の種子を播種する前の土壌もしくは成長培地、または植物、植物切断片、植物移植片、もしくは植物カルス組織を植える前の土壌もしくは生育培地に送達することを含む、植物成長に利益を与えることまたは感受性植物において病原体感染に対する保護を与えることの１つまたは両方のための方法。
【請求項１１】
単離されたフェンギシンＭＡ化合物、単離されたフェンギシンＭＢ化合物、単離されたフェンギシンＭＣ化合物、単離されたデヒドロキシフェンギシンＭＡ化合物、単離されたデヒドロキシフェンギシンＭＢ化合物、単離されたフェンギシンＨ化合物、単離されたフェンギシンＩ化合物、および単離されたデヒドロキシフェンギシンＩ化合物のうちの少なくとも１つを含む、ＡＴＣＣ番号ＰＴＡ−１２１１６６として寄託されたバチルス・アミロリケファシエンスＲＴＩ４７２の生物学的に純粋な培養物の抽出物。
【請求項１２】
病原体感染から植物または果実を保護または処理するための方法であって、請求項１１に記載の抽出物の有効量を前記植物もしくは果実に、もしくは根に、または前記植物の根の周囲の土壌に適用することを含む、方法。
【請求項１３】
第１組成物および第２組成物を変更された時間間隔で別々の適用において感受性植物に送達することであって、前記第１組成物および第２組成物のそれぞれは、前記植物における病原体感染に対する保護を与えるまたは病原体感染を減少させるのに適した量で送達される、当該送達することを含み、
前記第１組成物は、ＡＴＣＣ番号ＰＴＡ−１２１１６６として寄託されたバチルス・アミロリケファシエンスＲＴＩ４７２、またはその全ての同定特徴を有するその突然変異体の生物学的に純粋な培養物を含み、
前記第２組成物は、殺真菌特性または殺菌特性を有する１つ以上の化学活性剤を含み、
前記第１および第２組成物は、時間間隔を変えながら、植物の葉、植物の樹皮、植物の果実、植物の花、植物の種子、植物の根、植物の切断片、植物の移植片、植物のカルス組織、または植物の周囲の土壌もしくは成長培地、の１つまたは組み合わせに送達され、
病原体感染に対する保護および／または病原体感染を軽減するために必要な化学活性剤（１または複数）の総量が低減され、処理に対する耐性の蓄積が最小限に抑えられる、
処理に対する耐性の蓄積を最小限に抑えながら、感受性植物において病原体感染に対する保護を与えるまたは病原体感染を低減することによって、植物成長に利益を与える方法。
【請求項１４】
ＡＴＣＣ番号ＰＴＡ−１２１１６６として寄託されたバチルス・アミロリケファシエンスＲＴＩ４７２、またはその全ての同定特徴を有するその突然変異体の生物学的に純粋な培養物、およびビフェントリン殺虫剤を含む、植物成長に利益を与える組成物。
【請求項１５】
ＡＴＣＣ番号ＰＴＡ−１２１１６６として寄託されたバチルス・アミロリケファシエンスＲＴＩ４７２、またはその全ての同定特徴を有するその突然変異体の生物学的に純粋な培養物を含む第１成分、
微生物学的、生物学的もしくは化学的な、殺虫剤、殺真菌剤、殺線虫剤、殺細菌剤、除草剤、植物抽出物、植物成長調整剤または肥料の１つまたは組み合わせを含む第２成分、および、
植物の葉、植物の樹皮、植物の果実、植物の花、植物の種子、植物の根、植物の切断片、植物の移植片、植物のカルス組織、植物の周囲の土壌もしくは成長培地、植物の種子を播種する前の土壌もしくは成長培地、または植物、植物切断片、植物移植片、もしくは植物カルス組織を植える前の土壌もしくは生育培地に前記第１および第２成分の組み合わせを、植物成長に利益を与える量で送達するための指示書を、
含み、
前記第１成分および第２成分は別々に包装され、各成分は、植物成長に利益を与えるまたは感受性植物において病原体感染に対する保護を与えることの１つまたは両方に適した量である、
製品。
【手続補正２】
【補正対象書類名】明細書
【補正対象項目名】発明の名称
【補正方法】変更
【補正の内容】
【発明の名称】バチルス・アミロリケファシエンス（ＢＡＣＩＬＬＵＳ  ＡＭＹＬＯＬＩＱＵＥＦＡＣＩＥＮＳ）ＲＴＩ４７２組成物および植物成長に利益を与えかつ植物病害を処置するための使用方法